(57)【要約】  本発明は、一又は二以上の蛍光体含有層（４）でコーティングされ、ガス（７）で満たされたガラスエンベロープ（３）を含む蛍光ランプ（１）に関し、上述の蛍光ランプは、更に、上述のガスを放電可能な手段（６）を含む。上述の蛍光体含有層の組成は、少なくとも印刷の原色であるシアン、マゼンダ及びイエローに対して９３より高い特殊演色評価数を得るために調整される。そのランプは、グラフィック業界におけるカラー印刷物の検査に特に適している。
2008536280.tif 000002
【特許請求の範囲】
【請求項１】
一又は二以上の蛍光体含有層でコーティングされ、かつ、ガスで満たされたガラスエンベロープを含む蛍光ランプであって、該蛍光ランプは、更に、前記ガスを放電可能な手段を含み、前記蛍光体含有層の組成は、少なくとも印刷の原色であるシアン、マゼンダ及びイエローに対して９３より高い特殊演色評価数を得るために調整される蛍光ランプ。
【請求項２】
少なくとも一つの前記蛍光体含有層が少なくとも六つの蛍光体の混合物を含む、
請求項１に従った蛍光ランプ。
【請求項３】
前記蛍光体含有層は、
Ｃａ１０（ＰＯ４）６Ｆ２：Ｓｂ；
Ｃａ１０（ＰＯ４）６（Ｆ，Ｃｌ）２：Ｓｂ，Ｍｎ；
（Ｃｅ，Ｇｄ）ＭｇＢ５Ｏ１０：Ｔｂ；
（Ｃｅ，Ｇｄ，Ｔｂ）ＭｇＢ５Ｏ１０：Ｍｎ；
Ｓｒ４Ａｌ１４Ｏ２５：Ｅｕ；
ＢａＭｇＡｌ１０Ｏ１７：Ｅｕ；
ＢａＭｇ２Ａｌ１６Ｏ２７：Ｍｎ；及び
Ｙ２Ｏ３：Ｅｕ
から選択される蛍光体を含む、
請求項１に従った蛍光ランプ。
【請求項４】
カラー印刷物を検査するための請求項１に従った蛍光ランプの使用。
【発明の詳細な説明】
【技術分野】
【０００１】
本発明は、カラー印刷物を検査するためのそのような蛍光ランプに関する。より詳細には、本発明は、この目的のために、少なくとも一つの蛍光体含有層でコーティングされ、かつ、ガスで満たされたガラスエンベロープを含む蛍光ランプに関し、上述の蛍光ランプは、更に、上述のガスを放電できる手段を含む。
【背景技術】
【０００２】
検査用途におけるランプにとって、与えられた照明が如何に良好に被照シーンにおける物体の色を表現するかを評価することは重要である。国際照明委員会（ＣＩＥ:  the  Commision  Internationale  de  L’Eclairage）は、演色評価数を規定する。計算の手順は、当該技術分野で一般的に知られるように、最初、基準ランプによって照らされた場合と考慮中のランプによって照らされた場合との条件の間で注意深く選ばれた８又は１４のサンプルにおける色差ΔＥｉを計算することである。そのとき、特殊演色評価数Ｒｉは、Ｒｉ＝１００−４．６ΔＥｉによって計算される。
【０００３】
これは、特定の色毎に演色の指標を与える。平均演色評価数Ｒａは、最初の８つのカラーサンプルの平均である。最大値を１００としながら、Ｒａは、演色の視覚的印象に良く合う尺度を与える。例えば、８０より大きなＲａ値を有するランプは、屋内照明に適しているとされ、また、９０より大きなＲａ値を有するランプは、目視検査の目的に適しているとされる。ＧＢ１３５４３１５は、ガラス管であり、９５より大きな演色の値Ｒａを与えるためにその表面の内側に４種類の蛍光体を含む混合蛍光体の層を持つガラス管を含む蛍光ランプを開示する。高演色性蛍光ランプは、カラー印刷物を検査するための光源として使用されるよう提案される。
【特許文献１】英国特許第１３５４３１５号明細書
【発明の開示】
【発明が解決しようとする課題】
【０００４】
本発明の目的は、カラー印刷物を検査するための改良された蛍光ランプを提供することである。
【課題を解決するための手段】
【０００５】
この目的は、一又は二以上の蛍光体含有層でコーティングされ、かつ、ガスで満たされたガラスエンベロープを含む蛍光ランプによって達成され、上述の蛍光ランプは、更に、上述のガスを放電できる手段を含み、そこで、上述の蛍光体含有層の組成は、少なくとも印刷の原色であるシアン、マゼンダ及びイエローに対して９３より高い特殊演色評価数を得るために調整される。
【０００６】
ＣＭＹＫは、カラー印刷業で使用されるカラーモデルである。このカラーモデルは、シアン（Ｃ）、マゼンダ（Ｍ）、イエロー（Ｙ）及びブラック（Ｋ）の色素の混合に基づく。ＣＭＹＫにおいて、マゼンダにイエローを加えるとレッドを生成し、マゼンダにシアンを加えるとブルーを生成し、シアンにイエローを加えるとグリーンを生成し、かつ、シアン、マゼンダ及びイエローの組み合わせがブラックを生成する。この黒色は、ブラックインクに比べると濃い黒ではないので、四色印刷は、ＣＭＹに加えてブラックインクを使用する。
【０００７】
出願人は、印刷カラー原色のシアン、マゼンダ及びイエローが、平均演色評価数Ｒａを決めるときに使用されるサンプルの一部でないことを認識した。従って、従来技術において使用されるような平均演色評価数Ｒａの値は、カラー印刷物検査用の蛍光ランプの適合性を規定するには不適切な指標である。例えば、２００３年の国際規格案ＩＳＯ／ＤＩＳ２８４６−５で規定されているように、印刷カラー原色の基準スペクトルに対して一又は二以上の蛍光体含有層の組成を調整することにより、９３より大きい特殊演色評価数Ｒｉがシアン、マゼンダ及びイエローに対して取得され得る。そのような特性を持つ蛍光ランプは、カラー印刷物の検査のために、グラフィック業界において有利的に利用される。
【０００８】
蛍光体含有層の混合のための組成は、少なくとも六つの蛍光体を含む。好適な例は、請求項３で規定される。
【０００９】
本発明は、更に、カラー印刷物の検査のための、グラフィック業界におけるそのようなランプの使用に関する。
【００１０】
本発明は、更に、本発明に従った好適な実施例を概略的に示す添付図を参照して図解される。当然のことながら、本発明は、如何なる方法であれ、この特定の、又は、好適な実施例に限定されるものではない。
【発明を実施するための最良の形態】
【００１１】
図１は、８つの異なる基準色の反射スペクトルを示す。横軸に沿って波長が示され、一方で、縦軸に沿って任意の単位で反射率が表される。典型的には、蛍光ランプは、国際照明委員会（ＣＩＥ）によって規定される８つのサンプルを用いることによって、それらのカラー表現に対して最適化される。概して、結果として生ずる、これら蛍光ランプのための蛍光体の混合は、個別の色を最適に適合させるための妥協案である。
【００１２】
国際標準化機構は、四色印刷のための印刷インクの使用に対する国際規格案を２００３年に発行した。上述の規格は、ＩＳＯ／ＤＩＳ２８４６−５“グラフィック技術−四色印刷のための印刷インクセットにおける色及び透明度”であり、その添付書類Ｂが図１を描画するために使用された。図１から観察できるように、シアン（Ｃ）、マゼンダ（Ｍ）及びイエロー（Ｙ）の反射スペクトルは、Ｒａを決定するための反射スペクトルとは相違する。結果的に、シアン、マゼンダ及びイエローに対する特殊演色評価数ＲＣ、ＲＭ、ＲＹは、それぞれ最適ではないものとなる。
【００１３】
本発明の一側面に従って、シアン、マゼンダ及びイエローに対する反射スペクトルは、シアン、マゼンダ及びイエローのための特殊演色評価数ＲＣ、ＲＭ、ＲＹを最適化すべく、一又は二以上の蛍光体含有層の組成を調整するための計算を実行するために使用された。最初に、蛍光体の重量寄与が均等とされる。蛍光体のための個別の既知のランプスペクトルが入力される。これらのランプスペクトルは、それらランプスペクトルが既に水銀線を含むので、蛍光体パワースペクトルよりむしろ好まれることに注目である。そして、個別の蛍光体スペクトル、並びに、指定された相関性のある色温度における白色点、及び、９３より大きな個別のＲＣ、Ｍ、Ｙのような望ましい条件を考慮しながら、多重パラメータの数方程式が解かれる。
【００１４】
これらの計算から、シアン、マゼンダ及びイエローに対する特殊演色評価数ＲＣ、ＲＭ、ＲＹが得られ、それら全てが、それ自身の下限を含め、９３より高い値、好適には９３．５、好適には９４、好適には９５、好適には９６、好適には９７、好適には９８を有する。
【００１５】
それらの計算から、５０００Ｋの相関色温度（ＣＣＴ）が与えられると、そのような組成の例は、以下を含むこととなる。
【００１６】
【表１】
2008536280.tif 000003
その表から、調整された組成もまた、平均演色評価数Ｒａに対するばかりでなく、ＲＣ、ＲＭ、ＲＹに対しても優れた値を提供することが推測され得る。パラメータｘ及びｙは、周知のＣＩＥ１９３１の色度図における座標を参照する。ＲＣＭＹは、ＲＣ、ＲＭ及びＲＹの平均値を示す。使用された蛍光体は、全てフィリップス社製蛍光体である。比率は、重量で与えられる。蛍光体の重量比は、有意にＲＣＭＹを減少させることなく、相対的に１０％変化し得ると推定される。
【００１７】
図２は、カラー印刷物２の検査に特に適した蛍光ランプ１を表示する。蛍光ランプ１は、好適には、低圧水銀蒸気放電の蛍光ランプ１であり、当該技術分野で一般的によく知られている。蛍光ランプ１は、透明で光透過型のガラス管、又は、円形断面を有するエンベロープ３を有する。エンベロープ３は、如何なる種類の透明及び／又は半透明の物質を含んでいてもよい。エンベロープ３の内表面は、本発明に従って蛍光体含有層４が備えられる。
【００１８】
ランプ１は、両端に取り付けられるベース５により密閉され、かつ、間隔を空けられた一対の電極構造６（放電を提供する手段である。）は、それぞれベース５に搭載される。水銀及び不活性ガスである放電持続充填物７は、ガラス管３内に密封される。その不活性ガスは、典型的には、アルゴン、又は、低圧でのアルゴン及び他の希ガスの混合物であり、少量の水銀と組み合わさって、低蒸気圧の作動方法を提供する。
【００１９】
蛍光体含有層４は、好適には、低圧水銀蒸気放電のランプで利用される。それは、当該技術分野で知られているような無電極の蛍光ランプばかりでなく、当該技術分野で知られているような有電極の蛍光ランプにおいても使用され得、そこにおいて、放電を提供するための手段は、高周波電磁エネルギー放射をもたらす構造である。
【００２０】
本実施例では、蛍光体含有層が一つだけ存在する。層４は、六つの蛍光体、例えば、上表から選択されるものの混合物を含む。
【００２１】
請求項においては、括弧の間に置かれる如何なる参照符号もそれら請求項を限定するものとして解釈されない。単語“含む”は、請求項に記されたもの以外の要素又はステップの存在を除外しない。要素の前に来る単語“一”又は“一つの”は、そのような要素が複数存在することを除外しない。互いに異なる請求項で所定の手段が復唱されるという単なる事実は、これらの手段の組み合わせが利益を得るために使用され得ないことを示すものではない。
【図面の簡単な説明】
【００２２】
【図１】８つの異なる基準色並びにシアン、マゼンダ及びイエローの反射スペクトルを示す。
【図２】本発明の実施例に従った蛍光体含有層を持つ蛍光ランプを示す。
【図１】
2008536280.tif 000004
【図２】
2008536280.tif 000005
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
一又は二以上の蛍光体含有層でコーティングされ、かつ、ガスで満たされたガラスエンベロープを含む蛍光ランプであって、該蛍光ランプは、更に、前記ガスを放電可能な手段を含み、前記蛍光体含有層の組成は、少なくとも印刷の原色であるシアン、マゼンダ及びイエローに対して９３より高い特殊演色評価数を得るために調整される蛍光ランプ。
【請求項２】
前記印刷の原色であるシアン、マゼンダ及びイエローは、２００３年の国際規格案ＩＳＯ／ＤＩＳ２８４６−５に従って規定される、
請求項１に従った蛍光ランプ。
【請求項３】
少なくとも印刷の原色であるシアン、マゼンダ及びイエローに対する特殊演色評価数は、少なくとも９３．５であり、好適には少なくとも９４であり、好適には少なくとも９５であり、好適には少なくとも９６であり、好適には少なくとも９７であり、好適には少なくとも９８である、
請求項１又は２に従った蛍光ランプ。
【請求項４】
少なくとも一つの前記蛍光体含有層が少なくとも六つの蛍光体の混合物を含む、
請求項１、２又は３に従った蛍光ランプ。
【請求項５】
前記蛍光体含有層は、
Ｃａ１０（ＰＯ４）６Ｆ２：Ｓｂ；
Ｃａ１０（ＰＯ４）６（Ｆ，Ｃｌ）２：Ｓｂ，Ｍｎ；
（Ｃｅ，Ｇｄ）ＭｇＢ５Ｏ１０：Ｔｂ；
（Ｃｅ，Ｇｄ，Ｔｂ）ＭｇＢ５Ｏ１０：Ｍｎ；
Ｓｒ４Ａｌ１４Ｏ２５：Ｅｕ；
ＢａＭｇＡｌ１０Ｏ１７：Ｅｕ；
ＢａＭｇ２Ａｌ１６Ｏ２７：Ｍｎ；及び
Ｙ２Ｏ３：Ｅｕ
から選択される蛍光体を含む、
先行する何れかの請求項に従った蛍光ランプ。
【請求項６】
前記蛍光体は、
Ｃａ１０（ＰＯ４）６Ｆ２：Ｓｂ；
Ｃａ１０（ＰＯ４）６（Ｆ，Ｃｌ）２：Ｓｂ，Ｍｎ；
（Ｃｅ，Ｇｄ）ＭｇＢ５Ｏ１０：Ｔｂ；
（Ｃｅ，Ｇｄ，Ｔｂ）ＭｇＢ５Ｏ１０：Ｍｎ；
Ｓｒ４Ａｌ１４Ｏ２５：Ｅｕ；及び
ＢａＭｇＡｌ１０Ｏ１７：Ｅｕ；
の組み合わせを含む、
請求項５に従った蛍光ランプ。
【請求項７】
前記蛍光体は、
Ｃａ１０（ＰＯ４）６Ｆ２：Ｓｂ；
Ｃａ１０（ＰＯ４）６（Ｆ，Ｃｌ）２：Ｓｂ，Ｍｎ；
（Ｃｅ，Ｇｄ，Ｔｂ）ＭｇＢ５Ｏ１０：Ｍｎ；
Ｓｒ４Ａｌ１４Ｏ２５：Ｅｕ；
ＢａＭｇＡｌ１０Ｏ１７：Ｅｕ；及び
ＢａＭｇ２Ａｌ１６Ｏ２７：Ｍｎ
の組み合わせを含む、
請求項５に従った蛍光ランプ。
【請求項８】
前記蛍光体は、
Ｃａ１０（ＰＯ４）６Ｆ２：Ｓｂ；
Ｃａ１０（ＰＯ４）６（Ｆ，Ｃｌ）２：Ｓｂ，Ｍｎ；
（Ｃｅ，Ｇｄ，Ｔｂ）ＭｇＢ５Ｏ１０：Ｍｎ；
Ｓｒ４Ａｌ１４Ｏ２５：Ｅｕ；
ＢａＭｇ２Ａｌ１６Ｏ２７：Ｍｎ；
Ｙ２Ｏ３：Ｅｕ
の組み合わせを含む、
請求項５に従った蛍光ランプ。
【請求項９】
カラー印刷物を検査するための先行する何れかの請求項に従った蛍光ランプの使用。
【手続補正２】
【補正対象書類名】明細書
【補正対象項目名】全文
【補正方法】変更
【補正の内容】
【発明の詳細な説明】
【技術分野】
【０００１】
本発明は、カラー印刷物を検査するためのそのような蛍光ランプに関する。より詳細には、本発明は、この目的のために、少なくとも一つの蛍光体含有層でコーティングされ、かつ、ガスで満たされたガラスエンベロープを含む蛍光ランプに関し、上述の蛍光ランプは、更に、上述のガスを放電できる手段を含む。
【背景技術】
【０００２】
検査用途におけるランプにとって、与えられた照明が如何に良好に被照シーンにおける物体の色を表現するかを評価することは重要である。国際照明委員会（ＣＩＥ:  the  Commision  Internationale  de  L’Eclairage）は、演色評価数を規定する。計算の手順は、当該技術分野で一般的に知られるように、最初、基準ランプによって照らされた場合と考慮中のランプによって照らされた場合との条件の間で注意深く選ばれた８又は１４のサンプルにおける色差ΔＥｉを計算することである。そのとき、特殊演色評価数Ｒｉは、Ｒｉ＝１００−４．６ΔＥｉによって計算される。
【０００３】
これは、特定の色毎に演色の指標を与える。平均演色評価数Ｒａは、最初の８つのカラーサンプルの平均である。最大値を１００としながら、Ｒａは、演色の視覚的印象に良く合う尺度を与える。例えば、８０より大きなＲａ値を有するランプは、屋内照明に適しているとされ、また、９０より大きなＲａ値を有するランプは、目視検査の目的に適しているとされる。ＧＢ１３５４３１５は、ガラス管であり、９５より大きな演色の値Ｒａを与えるためにその表面の内側に４種類の蛍光体を含む混合蛍光体の層を持つガラス管を含む蛍光ランプを開示する。高演色性蛍光ランプは、カラー印刷物を検査するための光源として使用されるよう提案される。
【０００４】
ＥＰ１４２８８６３は、ブルー、ブルーグリーン、グリーン、ディープレッド及びレッド蛍光体から選択される少なくとも四つの蛍光体の混合物を含み、７０以上、好適には８５以上の平均演色評価数を有する、蛍光ランプを説明する。
【０００５】
ＥＰ１４２９３７０は、Ｓｒ４Ａｌ１４Ｏ２５：Ｅｕ２＋、並びに、レッド、グリーン及びブルーの発光蛍光体の少なくとも一つを含む蛍光体層を含み、９０以上の平均演色評価数を有する、蛍光ランプを説明する。
【０００６】
ＥＰ００７４５８５は、ブルーグリーンの発光ハロリン酸塩の蛍光体Ｍ５−ＸＸ（ＰＯ４）３を説明し、そこにおいて、Ｍがバリウム、カルシウム及びマグネシウム、Ｘがフッ素、塩素又は臭素、かつ、０＜ｘ＜５である。その蛍光体は、９５より大きい平均演色評価数を有する高い色表現の蛍光ランプを得るために使用される。
【特許文献１】英国特許第１３５４３１５号明細書
【特許文献２】欧州特許第１４２８８６３号明細書
【特許文献３】欧州特許第１４２９３７０号明細書
【特許文献４】欧州特許第００７４５８５号明細書
【発明の開示】
【発明が解決しようとする課題】
【０００７】
本発明の目的は、カラー印刷物を検査するための改良された蛍光ランプを提供することである。
【課題を解決するための手段】
【０００８】
この目的は、一又は二以上の蛍光体含有層でコーティングされ、かつ、ガスで満たされたガラスエンベロープを含む蛍光ランプによって達成され、上述の蛍光ランプは、更に、上述のガスを放電できる手段を含み、そこで、上述の蛍光体含有層の組成は、少なくとも印刷の原色であるシアン、マゼンダ及びイエローに対して９３より高い特殊演色評価数を得るために調整される。
【０００９】
ＣＭＹＫは、カラー印刷業で使用されるカラーモデルである。このカラーモデルは、シアン（Ｃ）、マゼンダ（Ｍ）、イエロー（Ｙ）及びブラック（Ｋ）の色素の混合に基づく。ＣＭＹＫにおいて、マゼンダにイエローを加えるとレッドを生成し、マゼンダにシアンを加えるとブルーを生成し、シアンにイエローを加えるとグリーンを生成し、かつ、シアン、マゼンダ及びイエローの組み合わせがブラックを生成する。この黒色は、ブラックインクに比べると濃い黒ではないので、四色印刷は、ＣＭＹに加えてブラックインクを使用する。
【００１０】
出願人は、印刷カラー原色のシアン、マゼンダ及びイエローが、平均演色評価数Ｒａを決めるときに使用されるサンプルの一部でないことを認識した。従って、従来技術において使用されるような平均演色評価数Ｒａの値は、カラー印刷物検査用の蛍光ランプの適合性を規定するには不適切な指標である。例えば、２００３年の国際規格案ＩＳＯ／ＤＩＳ２８４６−５で規定されているように、印刷カラー原色の基準スペクトルに対して一又は二以上の蛍光体含有層の組成を調整することにより、９３より大きい特殊演色評価数Ｒｉがシアン、マゼンダ及びイエローに対して取得され得る。そのような特性を持つ蛍光ランプは、カラー印刷物の検査のために、グラフィック業界において有利的に利用される。
【００１１】
蛍光体含有層の混合のための組成は、少なくとも六つの蛍光体を含む。好適な例は、請求項３で規定される。
【００１２】
本発明は、更に、カラー印刷物の検査のための、グラフィック業界におけるそのようなランプの使用に関する。
【００１３】
本発明は、更に、本発明に従った好適な実施例を概略的に示す添付図を参照して図解される。当然のことながら、本発明は、如何なる方法であれ、この特定の、又は、好適な実施例に限定されるものではない。
【発明を実施するための最良の形態】
【００１４】
図１は、８つの異なる基準色の反射スペクトルを示す。横軸に沿って波長が示され、一方で、縦軸に沿って任意の単位で反射率が表される。典型的には、蛍光ランプは、国際照明委員会（ＣＩＥ）によって規定される８つのサンプルを用いることによって、それらのカラー表現に対して最適化される。概して、結果として生ずる、これら蛍光ランプのための蛍光体の混合は、個別の色を最適に適合させるための妥協案である。
【００１５】
国際標準化機構は、四色印刷のための印刷インクの使用に対する国際規格案を２００３年に発行した。上述の規格は、ＩＳＯ／ＤＩＳ２８４６−５“グラフィック技術−四色印刷のための印刷インクセットにおける色及び透明度”であり、その添付書類Ｂが図１を描画するために使用された。図１から観察できるように、シアン（Ｃ）、マゼンダ（Ｍ）及びイエロー（Ｙ）の反射スペクトルは、Ｒａを決定するための反射スペクトルとは相違する。結果的に、シアン、マゼンダ及びイエローに対する特殊演色評価数ＲＣ、ＲＭ、ＲＹは、それぞれ最適ではないものとなる。
【００１６】
本発明の一側面に従って、シアン、マゼンダ及びイエローに対する反射スペクトルは、シアン、マゼンダ及びイエローのための特殊演色評価数ＲＣ、ＲＭ、ＲＹを最適化すべく、一又は二以上の蛍光体含有層の組成を調整するための計算を実行するために使用された。最初に、蛍光体の重量寄与が均等とされる。蛍光体のための個別の既知のランプスペクトルが入力される。これらのランプスペクトルは、それらランプスペクトルが既に水銀線を含むので、蛍光体パワースペクトルよりむしろ好まれることに注目である。そして、個別の蛍光体スペクトル、並びに、指定された相関性のある色温度における白色点、及び、９３より大きな個別のＲＣ、Ｍ、Ｙのような望ましい条件を考慮しながら、多重パラメータの数方程式が解かれる。
【００１７】
これらの計算から、シアン、マゼンダ及びイエローに対する特殊演色評価数ＲＣ、ＲＭ、ＲＹが得られ、それら全てが、それ自身の下限を含め、９３より高い値、好適には９３．５、好適には９４、好適には９５、好適には９６、好適には９７、好適には９８を有する。
【００１８】
それらの計算から、５０００Ｋの相関色温度（ＣＣＴ）が与えられると、そのような組成の例は、以下を含むこととなる。
【００１９】
【表１】
2008536280.tif 000006
その表から、調整された組成もまた、平均演色評価数Ｒａに対するばかりでなく、ＲＣ、ＲＭ、ＲＹに対しても優れた値を提供することが推測され得る。パラメータｘ及びｙは、周知のＣＩＥ１９３１の色度図における座標を参照する。ＲＣＭＹは、ＲＣ、ＲＭ及びＲＹの平均値を示す。使用された蛍光体は、全てフィリップス社製蛍光体である。比率は、重量で与えられる。蛍光体の重量比は、有意にＲＣＭＹを減少させることなく、相対的に１０％変化し得ると推定される。
【００２０】
図２は、カラー印刷物２の検査に特に適した蛍光ランプ１を表示する。蛍光ランプ１は、好適には、低圧水銀蒸気放電の蛍光ランプ１であり、当該技術分野で一般的によく知られている。蛍光ランプ１は、透明で光透過型のガラス管、又は、円形断面を有するエンベロープ３を有する。エンベロープ３は、如何なる種類の透明及び／又は半透明の物質を含んでいてもよい。エンベロープ３の内表面は、本発明に従って蛍光体含有層４が備えられる。
【００２１】
ランプ１は、両端に取り付けられるベース５により密閉され、かつ、間隔を空けられた一対の電極構造６（放電を提供する手段である。）は、それぞれベース５に搭載される。水銀及び不活性ガスである放電持続充填物７は、ガラス管３内に密封される。その不活性ガスは、典型的には、アルゴン、又は、低圧でのアルゴン及び他の希ガスの混合物であり、少量の水銀と組み合わさって、低蒸気圧の作動方法を提供する。
【００２２】
蛍光体含有層４は、好適には、低圧水銀蒸気放電のランプで利用される。それは、当該技術分野で知られているような無電極の蛍光ランプばかりでなく、当該技術分野で知られているような有電極の蛍光ランプにおいても使用され得、そこにおいて、放電を提供するための手段は、高周波電磁エネルギー放射をもたらす構造である。
【００２３】
本実施例では、蛍光体含有層が一つだけ存在する。層４は、六つの蛍光体、例えば、上表から選択されるものの混合物を含む。
【００２４】
請求項においては、括弧の間に置かれる如何なる参照符号もそれら請求項を限定するものとして解釈されない。単語“含む”は、請求項に記されたもの以外の要素又はステップの存在を除外しない。要素の前に来る単語“一”又は“一つの”は、そのような要素が複数存在することを除外しない。互いに異なる請求項で所定の手段が復唱されるという単なる事実は、これらの手段の組み合わせが利益を得るために使用され得ないことを示すものではない。
【図面の簡単な説明】
【００２５】
【図１】８つの異なる基準色並びにシアン、マゼンダ及びイエローの反射スペクトルを示す。
【図２】本発明の実施例に従った蛍光体含有層を持つ蛍光ランプを示す。
【国際調査報告】
2008536280.tif 000007
2008536280.tif 000008